(57)【要約】【課題】両面に受光面を有する太陽電池パネルを備える太陽光発電装置において、発電を効率的に行うことができる太陽光発電装置を提供する。【解決手段】本発明は、設置面に設置された架台と、前記架台の上方に配置されると共に、表側に位置する第一受光面及び裏面に位置する第二受光面を有する太陽電池パネルと、前記架台の上方において、前記太陽電池パネルの角度を変更可能な状態で、前記太陽電池パネルを支持する支持部と、前記支持部による前記太陽電池パネルの角度変更を制御する制御部と、を備え、前記制御部は、前記太陽電池パネルの前記第一受光面の法線方向を、前記第一受光面において得られる電力である第一電力と前記第二受光面において得られる電力である第二電力との和である総電力が最大となる方向となるよう、前記太陽電池パネルの角度変更を制御する最大角度制御を行う、ことを特徴とする。【選択図】図６
2019161818.tif 000002
【特許請求の範囲】
【請求項１】
設置面に設置された架台と、
前記架台の上方に配置されると共に、表側に位置する第一受光面及び裏面に位置する第二受光面を有する太陽電池パネルと、
前記架台の上方において、前記太陽電池パネルの角度を変更可能な状態で、前記太陽電池パネルを支持する支持部と、
前記支持部による前記太陽電池パネルの角度変更を制御する制御部と、を備え、
前記制御部は、前記太陽電池パネルの前記第一受光面の法線方向を、前記第一受光面において得られる電力である第一電力と前記第二受光面において得られる電力である第二電力との和である総電力が最大となる方向となるよう、前記太陽電池パネルの角度変更を制御する最大角度制御を行う、太陽光発電装置。
【請求項２】
前記制御部は、前記最大角度制御の前に、少なくとも前記太陽電池パネルの前記第一受光面の方位角方向が、太陽光の方位角方向と一致するよう、前記太陽電池パネルの前記第一受光面の方位角の変更を制御する入射角度制御を行う、請求項１に記載の太陽光発電装置。
【請求項３】
前記制御部は、前記最大角度制御の前に、前記太陽電池パネルの前記第一受光面の法線方向が太陽光の入射方向に一致するよう、前記太陽電池パネルの前記第一受光面の角度の変更を制御する入射角度制御を行い、該入射角度制御の後に、前記最大角度制御において、少なくとも前記設置面に対する前記太陽電池パネルの前記第一受光面の仰角方向を、前記総電力が最大となる方向とするよう、前記太陽電池パネルの前記第一受光面の仰角の変更を制御する、請求項１又は２に記載の太陽光発電装置。
【請求項４】
前記太陽電池パネルの下方に配置された反射板を備え、
前記反射板の表面は、高日射反射性塗料が塗布された面、湾曲面、傾斜面、及び、鏡面加工がなされた面の少なくとも一方を含んでいる、請求項１から３のいずれか１項に記載の太陽光発電装置。
【発明の詳細な説明】
【技術分野】
【０００１】
本発明は、両面に受光面を有する太陽電池パネルを備えた太陽光発電装置に関する。
【背景技術】
【０００２】
従来から、太陽電池パネルを備えた太陽光発電装置が知られている（特許文献１）。例えば、太陽光発電装置は、図１３に示すように、太陽電池パネル１１０と、設置面に固定されると共にこの設置面に対して垂直な姿勢で太陽電池パネル１１０を固定する支持基台１２０と、太陽電池パネル１１０に向かって光を反射する断面円弧状の反射板１３０と、を備える。また、太陽光発電装置１０１は、支持基台１２０から水平方向における外側に延びる腕部１４０と、反射板１３０と腕部１４０とを接続すると共に温度の上昇に伴い収縮する形状記憶合金で形成された付勢手段１５０と、を備える。太陽電池パネル１１０は、両面受光型であり、表面側及び裏面側にそれぞれ受光面を有する。
【０００３】
この太陽光発電装置１０１では、例えば、太陽光により温められることで付勢手段１５０が変形することにより、反射板１３０の向きが変化する。このように、太陽光の入射角度に応じて反射板１３０が傾動するため、太陽電池パネル１１０の受光面に入射する光の量が増加するとされている。
【先行技術文献】
【特許文献】
【０００４】
【特許文献１】特開平１１−３５４８２４号公報
【発明の概要】
【発明が解決しようとする課題】
【０００５】
前記太陽光発電装置では、反射板１３０の傾動により太陽電池パネル１１０への入射光（反射板１３０による反射光）が増加しているだけであるため、この太陽光発電装置は発電効率を十分に向上させるものではなかった。
【０００６】
本発明は、両面に受光面を有する太陽電池パネルを備える太陽光発電装置において、発電を効率的に行うことができる太陽光発電装置を提供することを目的とする。
【課題を解決するための手段】
【０００７】
本発明の太陽光発電装置は、設置面に設置された架台と、前記架台の上方に配置されると共に、表側に位置する第一受光面及び裏面に位置する第二受光面を有する太陽電池パネルと、前記架台の上方において、前記太陽電池パネルの角度を変更可能な状態で、前記太陽電池パネルを支持する支持部と、前記支持部による前記太陽電池パネルの角度変更を制御する制御部と、を備え、前記制御部は、前記太陽電池パネルの前記第一受光面の法線方向を、前記第一受光面において得られる電力である第一電力と前記第二受光面において得られる電力である第二電力との和である総電力が最大となる方向となるよう、前記太陽電池パネルの角度変更を制御する最大角度制御を行う。
【０００８】
かかる構成によれば、太陽電池パネルの第一受光面の法線方向がこの両面において発電される電力の総和を最大とする方向となるため、発電を効率的に行うことができる。
【０００９】
また、前記制御部は、前記最大角度制御の前に、少なくとも前記太陽電池パネルの前記第一受光面の方位角方向が、太陽光の方位角方向と一致するよう、前記太陽電池パネルの前記第一受光面の方位角の変更を制御する入射角度制御を行ってもよい。
【００１０】
かかる構成によれば、太陽電池パネルの第一受光面の方位角を制御する入射角度制御の後に最大角度制御が行われるため、太陽電池パネルで発電される電力の総和を最大とする制御が迅速に行われる。
【００１１】
さらに、前記太陽光発電装置では、前記制御部は、前記最大角度制御の前に、前記太陽電池パネルの前記第一受光面の法線方向が太陽光の入射方向に一致するよう、前記太陽電池パネルの前記第一受光面の角度の変更を制御する入射角度制御を行い、該入射角度制御の後に、前記最大角度制御において、少なくとも前記設置面に対する前記太陽電池パネルの前記第一受光面の仰角方向を、前記総電力が最大となる方向とするよう、前記太陽電池パネルの前記第一受光面の仰角の変更を制御してもよい。
【００１２】
かかる構成によれば、太陽電池パネルの受光面の法線方向を太陽光の入射方向に一致させる入射角度制御の後に、太陽電池パネルの仰角（設置面に対する太陽電池パネルの仰角）を、太陽電池パネルの両面における電力の総和が最大となる角度に合わせる最大角度制御が行われるため、太陽電池パネルで発電される電力の総和を最大とする制御が迅速かつ確実に行われる。
【００１３】
さらに、前記太陽光発電装置では、前記太陽電池パネルの下方に配置された反射板を備え、前記反射板の表面は、高日射反射性塗料が塗布された面、湾曲面、傾斜面、及び、鏡面加工がなされた面の少なくとも一方を含んでもよい。
【００１４】
かかる構成によれば、反射板の表面が高日射反射性塗料の塗布された面や鏡面加工がなされた面を含む場合、高日射反射性塗料の塗布された面や鏡面加工がなされた面が入射した太陽光のうちより多くの光を太陽電池パネルに反射する。また、反射板の表面が湾曲面や傾斜面を含む場合、湾曲面や傾斜面は入射角と異なる角度で太陽光を反射する、換言すると、太陽光を乱反射するため、太陽電池パネルの第二受光面により多くの光を反射する。このように、反射板の表面が太陽電池パネルの第一受光面や第二受光面に太陽光を効率的に反射するため、発電をさらに効率的に行うことができる。
【発明の効果】
【００１５】
以上より、本発明によれば、両面に受光面を有する太陽電池パネルを備える太陽光発電装置において、発電を効率的に行うことができる太陽光発電装置を提供することができる。
【図面の簡単な説明】
【００１６】
【図１】図１は、本実施形態に係る太陽光発電装置の太陽電池パネルの第一受光面の仰角が９０°であるときの太陽光発電装置の構成を示す側面図である。
【図２】図２は、前記太陽電池パネルの第一受光面の仰角が９０°であるときの太陽光発電装置の構成を示す斜視図である。
【図３】図３は、前記太陽電池パネルの第一受光面の仰角が４５°であるときの太陽光発電装置の構成を示す側面図である。
【図４】図４は、前記太陽電池パネルの第一受光面の仰角が０°であるときの太陽光発電装置の構成を示す側面図である。
【図５】図５は、前記太陽光発電装置の各構成を示すブロック図である。
【図６】図６は、前記太陽光発電装置の制御を説明するためのフローチャート図である。
【図７】図７は、変形例に係る太陽光発電装置の太陽電池パネルの第一受光面の仰角が９０°であるときの太陽光発電装置の構成を示す平面図である。
【図８】図８は、変形例に係る太陽光発電装置の太陽電池パネルの第一受光面の仰角が０°であるときの太陽光発電装置の構成を示す側面図である。
【図９】図９は、変形例に係る前記太陽電池パネルの第一受光面の仰角が９０°であるときの太陽光発電装置の構成を示す側面図である。
【図１０】図１０は、変形例に係る前記太陽電池パネルの第一受光面の仰角が４５°であるときの太陽光発電装置の構成を示す側面図である。
【図１１】図１１は、変形例に係る前記太陽電池パネルの第一受光面の仰角が０°であるときの太陽光発電装置の構成を示す側面図である。
【図１２】図１２は、変形例に係る前記太陽電池パネルの第一受光面の仰角が０°であるときの太陽光発電装置における反射光を説明するための側面図である。
【図１３】図１３は、従来の太陽光発電装置の構成を示す側面図である。
【発明を実施するための形態】
【００１７】
以下、本発明の一実施形態について、図１〜図６を参照しつつ説明する。
【００１８】
本実施形態に係る太陽光発電装置１は、設置面２に設置された架台３と、架台３の上方（図１〜図４における紙面上方）に設置された太陽電池パネル群４と、架台３の上方において太陽電池パネル群４を支持する支持部５と、を備える。また、太陽光発電装置１は、支持部５による角度変更を制御する制御部６を備える（図５参照）。さらに、太陽光発電装置１は、太陽電池パネル群４の下方に設置された反射板７を備える（図１〜図４参照）。尚、この太陽光発電装置１は、太陽電池パネル群４を三つ備える。太陽電池パネル群４は、それぞれ、両面受光型の太陽電池パネルを有する。具体的に、太陽電池パネル群４は、それぞれ、Ｙ軸方向に並んだ三枚の太陽電池パネルを含むため、本実施形態の太陽光発電装置１に含まれる太陽電池パネルは、九枚である。各太陽電池パネルは、表側に位置する第一受光面４１と、裏面に位置する第二受光面４２と、を有する。以下では、設置面２に沿う所望の方向を直交座標系におけるＸ軸方向とし、Ｘ軸方向と直交し且つ設置面２に沿った方向を直交座標系におけるＹ軸方向とし（図２参照）、設置面２に直交する方向（上下方向）をＺ軸方向とする。
【００１９】
架台３は、例えば、地面やコンクリート製の床面といった水平な設置面２に設置される。本実施形態の架台３は、Ｚ軸方向視において多角形状（例えば、正八角形状）を有する架台枠部３０と、架台枠部３０の内側に配置される補強部３１と、架台枠部３０の外周面から延びる脚部３２と、を有する。また、架台３は、架台枠部３０、補強部３１、及び、脚部３２の下面において設置面２に接触している。
【００２０】
補強部３１は、架台枠部３０の各角から架台枠部３０の中央に向かって延びる棒状の部材である。また、補強部３１の内側に位置する端縁は、Ｚ軸平面視において、周方向に連続している。この補強部３１の内側に位置する端縁は、架台枠部３０の中央に位置すると共にＺ軸方向において貫通した貫通孔を規定している。脚部３２は、設置面２上に広がる平板状の固定部位３２０と、Ｚ軸方向において延びると共に架台枠部３０の外周面と固定部位３２０とを接続する接続部位３２１と、を含む。
【００２１】
支持部５は、太陽電池パネル群４に含まれる太陽電池パネルの角度（例えば、太陽電池パネル群４に含まれる太陽電池パネルの第一受光面４１の方位角や設置面２に対する太陽電池パネル群４に含まれる太陽電池パネルの第一受光面４１の仰角）を変更可能な状態で、太陽電池パネル群４を支持している。また、支持部５は、例えば、縦軸（Ｚ軸方向において延びる部位）を回転中心として、太陽電池パネル群４の第一受光面４１の方位角を変更可能である。さらに、支持部５は、例えば、横軸（Ｘ軸方向やＹ軸方向において延びる部位）を回転中心として、太陽電池パネル群４に含まれる太陽電池パネルの第一受光面４１の仰角を変更可能である。
【００２２】
本実施形態の支持部５は、架台３上に配置される第一支持部５１と、第一支持部５１と太陽電池パネル群４との間に配置される第二支持部５２と、を含む。第一支持部５１は、例えば、縦軸を回転中心として、太陽電池パネル群４に含まれる太陽電池パネルの第一受光面４１の方位角を変更可能である。第二支持部５２は、例えば、横軸を回転中心として、太陽電池パネル群４に含まれる太陽電池パネルの第一受光面４１の仰角を変更可能である。尚、支持部５において、第一支持部５１による第一受光面４１の方位角の変更や第二支持部５２による第一受光面４１の仰角の変更は、互いに独立して行うことができる。また、支持部５において、第一支持部５１及び第二支持部５２の姿勢は、互いに独立して変化することができる。
【００２３】
第一支持部５１は、例えば、Ｚ軸方向視において円筒形状を有すると共に上端面（Ｚ軸方向における一方側に位置する端面）及び下端面（Ｚ軸方向における他方側に位置する端面）がそれぞれＺ軸方向視において外側に広がった鍔形状を有する枠部位５１０と、枠部位５１０の下端面の複数箇所（例えば、８箇所）からそれぞれ下方に延びる車輪部位５１１と、枠部位５１０上に載置され且つＸ−Ｙ平面（Ｘ軸方向及びＹ軸方向を含む面）に広がる矩形板状の部材であってＺ軸方向において貫通した貫通孔を有する板部位５１２と、板部位５１２の貫通孔から架台３の貫通孔までＺ軸方向に挿通した軸部位５１３と、を有する。また、第一支持部５１は、軸部位５１３を回転軸として枠部位５１０を回動可能な電動モータ（第一のアクチュエータ）と、枠部位５１０の位置を検出可能な回転検出器（例えば、ポテンショメータ）と、を有する。尚、第一支持部５１では、枠部位５１０の回動時において、車輪部位５１１が架台枠部３０の上面に沿って移動することにより、第一支持部５１は架台枠部３０に対して滑らかに移動する。
【００２４】
第二支持部５２は、一端部が第一支持部５１の枠部位５１０や板部位５１２に接続されると共に他端部が太陽電池パネル群４に接続された本体部位５２０と、設置面２に対する各太陽電池パネル群４の角度（太陽電池パネルの仰角）を一括して変更可能な（連動して変更可能な、リンクして変更可能な）リンク部位５２１と、リンク部位５２１と接続される接続部位５２２と、一端部が第一支持部５１の板部位５１２に接続され他端部が接続部位５２２と接続された電動シリンダ（第二のアクチュエータ）５２３と、接続部位５２２と接続されると共に板部位５１２に固定された基台部位５２４（図１、図３、図４参照）と、を有する。
【００２５】
本体部位５２０は、第一支持部５１の板部位５１２の各角部から各太陽電池パネル群４までそれぞれ伸びる棒状の部位である。具体的に、本体部位５２０は、第一支持部５１の板部位５１２の各角部から反射板７を貫通して各太陽電池パネル群４まで延びている。本体部位５２０の延伸方向における一端部は、板部位５１２の各角部に固定されている。本体部位５２０の延伸方向における中央部は、反射板７に固定されることで、反射板７のＺ軸方向における位置を固定している。本体部位５２０の延伸方向における他端部は、太陽電池パネル群４に固定されることで、太陽電池パネル群４のＺ軸方向における位置を固定している。
【００２６】
電動シリンダ５２３は略長尺状であり、その長尺方向において伸縮可能である。本実施形態の電動シリンダ５２３は、完全に伸びた第一状態（図１参照）と、中程度にまで縮んだ第二状態（図３参照）と、完全に縮んだ第三状態（図４参照）との間において、連続して伸縮可能である。換言すると、電動シリンダ５２３は、第一状態から第三状態の間の所望の長さに伸縮可能である。本実施形態の電動シリンダ５２３には、電動シリンダ５２３の状態（電動シリンダ５２３の長尺方向における長さ）を検知可能なストローク長センサが設けられている。
【００２７】
接続部位５２２は、電動シリンダ５２３の他端部（電動シリンダ５２３の板部位５１２に接続される一端部と反対側に位置する他端部）からリンク部位５２１まで延びる棒状の部位である。また、接続部位５２２は、延伸方向における中央部において基台部位５２４に接続されている。接続部位５２２は、基台部位５２４との接続箇所である回転軸５２２０を中心に回動可能である。具体的に、接続部位５２２は、回転軸５２２を中心に図１、図３、図４における時計回りに０°から略９０°まで回動可能である。より具体的に、接続部位５２２の回転角は、電動シリンダ５２３が第一状態にあるとき（図１参照）０°であるとすると、電動シリンダ５２３が第二状態にあるとき（図３参照）略４５°となり、電動シリンダ５２３が第三状態にあるとき（図４参照）略９０°となる。
【００２８】
リンク部位５２１は、接続部位５２２に接続された本体領域５２１０と、各太陽電池パネル群４ａ、４ｂ、４ｃをそれぞれ支持する三つの支持領域５２１１と、本体領域５２１０と各支持領域５２１１とを接続する接続領域５２１２と、を有する。本実施形態の支持領域５２１１は、太陽電池パネル群４の向きを固定した状態で、太陽電池パネル群４を固定している。本実施形態の本体領域５２１０は、矩形枠状の部位と、長尺方向における中央に配置され且つ短手方向に延びる棒状の部位とを有する。また、本実施形態の本体領域５２１０には、日射量を検知する日射センサが設けられている。本実施形態の接続領域５２１２は、本体領域５２１１の矩形枠状の長尺方向における両端に位置する部位と、長尺方向における中央に配置された棒状の部位と、にそれぞれ接続されている。また、本実施形態の接続領域５２１２は、本体領域５２１０との接続箇所を回転軸として回動可能であると共に、支持領域５２１１に対して固定されている。このような構成により、本実施形態のリンク部位５２１は、接続領域５２１２に対して直交する位置において太陽電池パネル群４を支持している。
【００２９】
本実施形態のリンク部位５２１の姿勢は、電動シリンダ５２３の伸縮に応じて変化する。具体的に、電動シリンダ５２３が第一状態にあるとき（図１参照）、接続部位５２２の回転角は０°となるため、リンク部位５２１の姿勢は、本体領域５２１０がＸ軸方向における他端側に退避すると共に、接続領域５２１２が設置面２に沿った姿勢となる。また、電動シリンダ５２３が第二状態にあるとき（図３参照）、接続部位５２２の回転角は４５°となるため、リンク部位５２１の姿勢は、本体領域５２１０が接続部位５２２の４５°の回動分だけＸ軸方向における中央位置まで進出すると共に、接続領域５２１２が設置面２に対して４５°傾いた姿勢となる。さらに、電動シリンダ５２３が第三状態にあるとき（図４参照）、接続部位５２２の回転角は９０°となるため、リンク部位５２１の姿勢は、本体領域５２１０が接続部位５２２の９０°の回動分だけＸ軸方向における一端側に進出すると共に、接続領域５２１２が設置面２に対して直交する姿勢となる。
【００３０】
以上の構成により、支持部５は、縦軸を回転中心として太陽電池パネル群４に含まれる太陽電池パネルの第一受光面４１の方位角を変化させると共に、横軸を回転中心として太陽電池パネル群４に含まれる太陽電池パネルの第一受光面４１の仰角を変化させることができる。具体的に、支持部５は、第一支持部５１の軸部位５１３を回転軸として枠部位５１０を回動することで、軸部位５１３を回転中心として太陽電池パネル群４に含まれる太陽電池パネルの第一受光面４１の方位角を変化させることができる。また、第二支持部５２の電動シリンダ５２３を伸縮させることで、接続領域５２１２を回転中心として太陽電池パネル群４に含まれる太陽電池パネルの第一受光面４１の仰角を変化させることができる。
【００３１】
本実施形態の太陽電池パネル群４に含まれる太陽電池パネルには、それぞれ発電による電力を検出するセンサが設けられている。具体的に、太陽電池パネル群４に含まれる太陽電池パネルには、この太陽電池パネルの発電による現時点の電圧及び電流を検出するセンサが設けられている。
【００３２】
本実施形態の太陽電池パネル群４では、第一支持部５１の枠部位５１０が回動することで、Ｘ軸方向において並ぶ三つの太陽電池パネル群４ａ、４ｂ、４ｃに含まれる太陽電池パネルの第一受光面４１の方位角（太陽電池パネル群４ａ、４ｂ、４ｃの向く方向）がまとめて変化する。さらに、本実施形態の太陽電池パネル群４では、上述のように電動シリンダ５２３が伸縮することで、これら三つの太陽電池パネル群４ａ、４ｂ、４ｃに含まれる太陽電池パネルの第一受光面４１の仰角がまとめて変化する（一括で変化する）。具体的に、太陽電池パネル群４ａ、４ｂ、４ｃに含まれる太陽電池パネルの第一受光面４１の方位角は、第一支持部５１の枠部位５１０の所定の部位の方位角が北東（４５°）である状態（枠部位５１０の軸部位５１３から枠部位５１０の所定の部位に向かって延びる仮想線が北東に向かう状態）から、枠部位５１０の所定の部位の方位角が南（１８０°）である状態を経て、枠部位５１０の所定の部位の方位角が北西（３１５°）である状態に、軸部位５１３を回転中心として枠部位５１０が２７０°回動することで、北東から南を経て北西に変化する。また、太陽電池パネル群４ａ、４ｂ、４ｃに含まれる太陽電池パネルの第一受光面４１の仰角は、電動シリンダ５２３が第一状態にあるとき（図１参照）、接続領域５２１２が設置面２に沿った姿勢となるためいずれも９０°となり、電動シリンダ５２３が第二状態にあるとき（図３参照）、接続領域５２１２が設置面２に対して４５°傾いた姿勢となるためいずれも４５°となり、電動シリンダ５２３が第三状態にあるとき（図４参照）、接続領域５２１２が設置面２に対して直交する姿勢となるためいずれも０°となる。
【００３３】
反射板７は、例えば、矩形状の板材を短手方向における両側で折り曲げて形成されている（図３参照）。反射板７は、例えば、設置面２に対して４５°傾斜した姿勢で固定されている。反射板７のＺ軸方向における位置は、例えば、支持部５に対して固定されている。本実施形態の反射板７は、短手方向における中央に位置する中央部７１と、中央部７１の短手方向における両側にそれぞれ位置すると共に中央部７１に対して太陽電池パネル群４から遠ざかるように傾斜している端部７２と、を含む。反射板７のＹ軸方向（短手方向）における幅は、太陽電池パネル群４に含まれる太陽電池パネルのＹ軸方向における幅よりも狭い。尚、中央部７１及び端部７２はそれぞれ平坦な形状を有する。
【００３４】
具体的に、反射板７の表面７３（設置面２と向かい合う面７４と反対側の面（裏面）７４、太陽電池パネル群４側に位置する面７３）には、太陽光の反射率が高い塗料（高日射反射性塗料）が塗布されている。この塗料は、例えば、光の反射率が高い色（銀色、白色、黄色、薄い灰色、薄い青色等）の塗料、各種蛍光塗料、中空ビーズを含む塗料等である。
【００３５】
本実施形態の制御部６は、図５のブロック図に示すように、第一支持部５１の電動モータや回転検出器、第二支持部５２の電動シリンダ５２３、及び、太陽電池パネル群４の電力センサにそれぞれ接続されている。尚、本実施形態の制御部６は、支持部５における反射板７の裏側（太陽電池パネル群４と反対側）に設けられている。
【００３６】
本実施形態の制御部６は、自動制御により、太陽電池パネル群４に含まれる太陽電池パネルの角度を制御する。制御部６は、自動制御において、まず、少なくとも太陽電池パネル群４に含まれる太陽電池パネルの第一受光面４１の方位角方向を太陽光の入射方向とするよう、支持部５による第一受光面４１の方位角の変更を制御する日出処理（入射角度制御）を行う。また、制御部６は、日出処理（入射角度制御）において、太陽電池パネル群４に含まれる太陽電池パネルの第一受光面４１の方位角を制御すると共に、太陽電池パネル群４に含まれる太陽電池パネルの第一受光面４１の仰角方向が太陽光の仰角方向に一致するよう、支持部５による第一受光面４１の仰角の変更を制御する。換言すると、太陽電池パネル群４に含まれる太陽電池パネルの第一受光面４１の法線方向（第一受光面４１の方位角方向及び第一受光面４１の仰角方向からなる法線方向）が太陽光の入射方向（太陽光の方位角方向及び仰角方向からなる入射方向）に一致するよう、支持部５による第一受光面４１の方位角及び仰角の変更を制御する。第一受光面４１の方位角方向は、Ｘ−Ｙ平面における方向である。第一受光面４１の仰角方向は、Ｘ−Ｚ平面における方向やＹ−Ｚ平面における方向である。
【００３７】
さらに、制御部６は、自動制御において、日出処理（入射角度制御）を行った後、必要に応じて、太陽電池パネル群４に含まれる太陽電池パネルの第一受光面４１の法線方向を、第一受光面４１において得られる電力である第一電力と、第二受光面４２において得られる電力である第二電力との和である総電力が最大となる方向となるよう、支持部５（第一支持部５１及び第二支持部５２）による太陽電池パネル群４に含まれる太陽電池パネルの角度変更を制御する最大角度制御を行う。具体的に、制御部６は、太陽電池パネル群４に含まれる太陽電池パネルの仰角や方位角を最大発電量が得られるような角度とするよう調整する最大角度制御（例えば、最大発電量が得られるように太陽電池パネルの仰角や方位角を太陽の動きに追従させて調整する追従制御である最大角度制御）を行う。より具体的に、本実施形態の制御部６は、第一支持部５１の電動モータに枠部位５１０の回動を制御することにより、枠部位５１０の方位角を変化させて、太陽電池パネル群４に含まれる太陽電池パネルの第一受光面４１の方位角方向を総電力が最大となる方向とする。また、本実施形態の制御部６は、電動シリンダ５２３を伸縮させることにより、接続部位５２２の姿勢（接続部位５２２の回動角度）を変化させて、太陽電池パネル群４に含まれる太陽電池パネルの第一受光面４１の仰角を変更させて、太陽電池パネル群４に含まれる太陽電池パネルの第一受光面４１の仰角方向を総電力が最大となる方向とする。
【００３８】
本実施形態の制御部６は、各種情報の取得や出力、及び、演算を行う処理部６０と、各種情報を記憶可能な記憶部６１とを含む。具体的に、制御部６は、インターネットと接続するためのルータ（例えば、Ｍ２Ｍ（Ｍａｃｈｉｎｅ  ｔｏ  Ｍａｃｈｉｎｅ）ルータ）、制御コントローラ（情報を取得や入力する入出力部、演算部、記憶部、アラーム（架台３や支持部５の駆動異常、発電量の異常などに関するアラーム）検知部等を含む制御コントローラ）、タッチパネルモニタ（操作、設定、モニタ（監視）可能なタッチパネルモニタ）、方位角制御コントローラ（第一支持部５１を制御可能なコントローラ）、及び、仰角制御コントローラ（第二支持部５２を制御可能なコントローラ）を含む。制御部６における制御コントローラは、例えば、アラーム検知部により架台３や支持部５の駆動異常、発電量の異常などを検知した場合、インターネットを介してこの異常を示すメールを、太陽光発電装置１の操作等を担当する担当者が所持する各種端末に送信する。また、制御部６は、現在時刻に関する情報も保持している。記憶部６１が記憶可能な各種情報としては、太陽電池パネルの設置場所のパラメータ（例えば、この設置場所の緯度、経度、高度の情報）、所定の処理を前回行った時刻、太陽電池パネルの実際の方位角や仰角と目標とする方位角や仰角との偏差の上限設定値、処理部６０による演算結果等がある。本実施形態の処理部６０は、時刻情報（現在の年月日と時刻の情報）を保持している。また、本実施形態の処理部６０は、制御部６のタッチパネルを介した自動制御のオンオフに関する入力や、端末（タブレット、スマートフォン、パソコン等）からのインターネットを介した自動制御のオンオフに関する入力を検知する。尚、通常、自動制御は実行され続けるが、例えば、台風などの異常時に終了される。以下、制御部６による一連の制御について、図６のフローチャートを用いて説明する。
【００３９】
処理部６０は、自動制御を開始するための入力を検知すると、自動制御をオンし（ステップＳ１）、太陽電池パネルの設置場所のパラメータを取得し、記憶部６１に記憶させる（ステップＳ２）。次に、処理部６０は、時刻情報に基づいて、現在の太陽の位置（緯度、経度、高度）を計算し（ステップＳ３）、記憶部６１に記憶させ、計算した太陽の高度が０°よりも大きいか否かを判断する（ステップＳ４）。尚、処理部６０は、今回ステップＳ３を実行することで得られた太陽の高度に加えて、前回ステップＳ３を実行することで得られた太陽の高度も記憶部６１に記憶させる。
【００４０】
太陽の高度が０°よりも大きい場合には（ステップＳ４においてＹｅｓ）、処理部６０は、日出であるか否かを判断する（ステップＳ５）。具体的に、処理部６０は、例えば、前回ステップＳ３を実行することで得られた太陽の高度が０°以下であると共に、今回ステップＳ３を実行することで得られた太陽の高度が０°よりも大きい場合に、日出に該当すると判断する。一方、処理部６０は、前回ステップＳ３を実行することで得られた太陽の高度、及び、今回ステップＳ３を実行することで得られた太陽の高度が、いずれも、０°よりも大きい場合に、日出に該当しないと判断する。処理部６０は、日出であると判断すると（ステップＳ５においてＹｅｓ）、日出処理（入射角度処理）を行う（ステップＳ６）。
【００４１】
本実施形態の処理部６０は、日出処理において、少なくとも太陽電池パネル群４に含まれる太陽電池パネルの第一受光面４１の方位角方向が、太陽光の方位角方向（太陽光の入射方向のうち方位角成分（水平方向））と一致するよう（平行な向きとするよう）、第一支持部５１を制御する。より具体的に、処理部６０は、日出処理において、第一支持部５１の軸部位５１３を回転中心として枠部位５１０を回転させて、太陽電池パネル群４に含まれる太陽電池パネルの第一受光面４１の方位角方向を太陽光の方位角方向（水平方向）と一致するよう、第一支持部５１の電動モータを制御する。また、処理部６０は、日出処理として、太陽電池パネルの第一受光面４１の方位角を制御すると共に、太陽電池パネルの第一受光面４１の仰角方向が太陽光の入射方向のうち仰角方向に一致するよう、第二支持部５２の電動シリンダ５２３により第一受光面４１の仰角を制御する。換言すると、処理部６０は、太陽電池パネルの第一受光面４１の法線方向の方位角方向や仰角方向が太陽光の入射方向のうち方位角成分（水平方向）や仰角方向にそれぞれ一致するよう、支持部５による第一受光面４１の角度の変更を制御する。
【００４２】
次に、処理部６０は、現在の太陽の位置に基づいて、太陽電池パネル群４に含まれる太陽電池パネルの第一受光面４１の方位角の偏差（回転検出器により取得された第一受光面４１の実際の方位角と、太陽光の方位角方向と一致する第一受光面４１の方位角との偏差）及び太陽電池パネル群４に含まれる太陽電池パネルの第一受光面４１の仰角の偏差（ストローク長センサにより取得された電動シリンダ５２３の長さから算出される第一受光面４１の実際の仰角と、太陽光の入射方向と第一受光面４１の法線方向が一致する場合の第一受光面４１の仰角との偏差）をそれぞれ計算する（ステップＳ７）。処理部６０は、計算により求めた２つの偏差が、いずれも、記憶部６１に予め設定して記憶されている上限設定値内にあるか否かを判断する（ステップＳ８）。
【００４３】
計算により求めた太陽電池パネル群４に含まれる太陽電池パネルの第一受光面４１の方位角や仰角の偏差に上限設定値外であると判断したものがあれば（ステップＳ８においてＮｏ）、第一受光面４１の方位角や仰角のうち上限設定値から外れているものを、第一支持部５１の電動モータや第二支持部５２の電動シリンダ５２３を駆動して、上限設定値内になるように太陽電池パネル群４に含まれる太陽電池パネルの第一受光面４１の方位角や仰角を補正する処理（ステップＳ９）を、計算により求めた第一受光面４１の方位角や仰角の偏差がいずれも上限設定値内になるまで繰り返す（ステップＳ７、Ｓ８、Ｓ９）。
【００４４】
計算により求めた太陽電池パネル群４に含まれる太陽電池パネルの第一受光面４１の方位角や仰角の偏差がいずれも上限設定値内にある場合（ステップＳ８においてＹｅｓ）、処理部６０は、現時刻がスキャンするタイミングであるか否かを判断する（ステップＳ１０）。具体的に、処理部６０は、前回のスキャン時刻についての情報が無い場合、今回の処理が第１回目のスキャンであるものとして、スキャンするタイミングであると判断する。また、処理部６０は、前回のスキャン時刻から設定時間（任意の時間、例えば、３分〜５分程度）が経過している場合にも、スキャンするタイミングであると判断する。一方、処理部６０は、前回のスキャン時刻から設定時間が経過していない場合、スキャンするタイミングではないと判断する。
【００４５】
処理部６０は、スキャンするタイミングであると判断すると（ステップＳ１０においてＹｅｓ）、日射量が一定以上あるかどうかを判断する（ステップＳ１１）。具体的に、処理部６０は、日射センサが検知した日射量に基づいて日射量が一定値以上であるか否かを判断する。
【００４６】
処理部６０は、日射量が一定以上であると判断した場合（ステップＳ１１においてＹｅｓ）、スキャン処理を行って最大発電量となる太陽電池パネル群４に含まれる太陽電池パネルの第一受光面４１の目標仰角を算出する（ステップＳ１２）。具体的に、処理部６０は、スキャン処理として、入射角度制御で向けられた太陽電池パネル群４に含まれる太陽電池パネルの第一受光面４１の向き（角度、例えば、第一受光面４１の仰角や、第一受光面４１の仰角及び方位角）を基準角度とし、該基準角度から所定角度（以下、スキャン角度とする）だけ角度変更した際の発電量の総和が最大となる目標角度を導出し、該導出した目標角度に、第一受光面４１の角度を変更する。また、処理部６０は、目標角度を導出する際に、基準角度が大きくなる側（プラス側）や小さくなる側（マイナス側）に所定角度だけ太陽電池パネル群４に含まれる太陽電池パネルの第一受光面４１の角度を変更する。
【００４７】
より具体的に、処理部６０は、スキャン処理として、太陽電池パネル群４に含まれる太陽電池パネルの第一受光面４１の現在の仰角（太陽光の入射方向と第一受光面４１の法線方向が一致する場合の第一受光面４１の仰角に合わせられた仰角）から仰角が大きくなる側と仰角が小さくなる側とにスキャン角度（例えば、５°）だけ連続的に仰角を変更する（例えば、基準角度が４５°であり且つスキャン角度が５°である場合、仰角を４０°から５０°まで変更する）よう第二支持部５２の電動シリンダ５２３を制御し、仰角を変更する過程において、例えば、太陽電池パネル群４に設けられた電力センサ（例えば、電圧センサや電池センサ）により、太陽電池パネル群４に含まれる太陽電池パネルにおける第一受光面４１での発電量と第二受光面４２での発電量とを、仰角を１°変更させる毎に取得する。処理部６０は、太陽電池パネル群４に含まれる太陽電池パネルの仰角毎における第一受光面４１、第二受光面４２での発電量の総量（第一受光面４１において得られる電力である第一電力と第二受光面４２において得られる電力である第二電力との和である総電力）を記憶し（例えば、プロットし）、記憶した中で総電力が最大となる仰角（発電量の総量がピークとなる仰角）を、総電力が得られる目標仰角として導出する。処理部６０は、導出した目標仰角に、太陽電池パネル群４に含まれる太陽電池パネルの第一受光面４１の仰角を一致させるよう、第二支持部５２の電動シリンダ５２３を制御する（ステップＳ１３）。
【００４８】
このように、処理部６０は、ステップＳ１２、Ｓ１３において、太陽電池パネルを、総電力が最大となる角度になるよう支持部５を制御する最大角度制御（例えば、少なくとも、太陽電池パネル群４に含まれる太陽電池パネルの第一受光面４１の仰角を総電力が最大となる角度とするよう制御部６を制御する最大角度制御）を実行すると、自動制御を終了するか否かを判断する（ステップＳ１４）。処理部６０は、自動制御を終了するためのタッチパネルを介した入力やインターネットを介した入力を検知した場合、自動制御を終了すると判断する。
【００４９】
処理部６０は、自動制御を終了しない場合には（ステップＳ１４においてＮｏ）、ステップＳ３に戻り、自動制御を終了するまで、自動制御（ステップＳ３〜ステップＳ１４）を繰り返すことになる。一方、処理部６０は、自動制御を終了する場合には（ステップＳ１４においてＹｅｓ）、自動制御をオフして、一連の制御を終了する。
【００５０】
尚、処理部６０は、スキャンするタイミングではないと判断した場合（Ｓ１０においてＮｏ）や日射量が一定量未満であると判断した場合（ステップＳ１１においてＮｏ、例えば、天候が曇りか雨であるため日射量が少ないため、太陽電池パネル群４に含まれる太陽電池パネルの第一受光面４１の法線方向が太陽光の入射方向に一致する場合の第一受光面４１の仰角から目標仰角に変化させたとしても、この変化により増加する総電力が目標仰角を算出するために要する電力を下回ることが想定される場合）には、自動制御を終了するか否かの判断（ステップＳ１４）に進み、必要に応じて、自動制御を繰り返す。
【００５１】
また、太陽の高度が０°以下である場合には（ステップＳ４においてＮｏ）、処理部６０は、日没であるか否かを判断する（ステップＳ１６）。具体的に、処理部６０は、例えば、前回ステップＳ３を実行することで得られた太陽の高度が０°より大きく且つ今回ステップＳ３を実行することで得られた太陽の高度が０°以下である場合に、日没に該当すると判断し、前回ステップＳ３を実行することで得られた太陽の高度及び今回ステップＳ３を実行することで得られた太陽の高度がいずれも０°以下である場合に、日没に該当しないと判断する。処理部６０は、日没であると判断すると（ステップＳ４においてＹｅｓ）、日没処理を行う（ステップＳ７）。具体的に、処理部６０は、日没処理において、太陽電池パネル群４に含まれる太陽電池パネルの第一受光面４１の方位角及び仰角を待機状態とするよう支持部５を制御する。待機状態とは、例えば、太陽電池パネル群４に含まれる太陽電池パネルの第一受光面４１の方位角を南向きとすると共に、太陽電池パネル群４に含まれる太陽電池パネルの第一受光面４１の仰角を１８０°（第一受光面４１を設置面２と水平な姿勢）とするような状態である。さらに、処理部６０は、自動制御を終了するか否かの判断（ステップＳ１４）に進み、必要に応じて、自動制御を繰り返す。
【００５２】
以上の太陽光発電装置１によれば、太陽電池パネル群４に含まれる太陽電池パネルの角度が、第一受光面４１及び第二受光面４２において発電される電力の総和を最大とする角度となるため、発電を効率的に行うことができる。
【００５３】
また、本実施形態の太陽光発電装置１では、太陽電池パネル群４に含まれる太陽電池パネルの第一受光面４１の方位角を制御する入射角度制御の後に最大角度制御が行われるため、太陽電池パネルで発電される電力の総和を最大とする制御が迅速に行われる。
【００５４】
さらに、本実施形態の太陽光発電装置１では、太陽電池パネル群４に含まれる太陽電池パネルの第一受光面４１の法線方向を太陽光の入射方向に一致させる入射角度制御の後に、太陽電池パネル群４に含まれる太陽電池パネルの第一受光面４１の仰角（設置面２に対する第一受光面４１の角度）を、太陽電池パネル群４に含まれる太陽電池パネルの第一受光面４１及び第二受光面４２における電力の総和が最大となる角度に合わせる最大角度制御が行われるため、太陽電池パネルで発電される電力の総和を最大とする制御が迅速かつ確実に行われる。
【００５５】
本実施形態の太陽光発電装置１では、反射板７の表面７３が高日射反射性塗料の塗布された面を含む場合、高日射反射性塗料の塗布された面が入射した太陽光のうちより多くの光を太陽電池パネルに反射する。このように、反射板７の表面７３が太陽電池パネルの第一受光面４１や第二受光面４２に太陽光を効率的に反射するため、発電をさらに効率的に行うことができる。
【００５６】
本実施形態の太陽光発電装置１では、日射量が一定量以下と少ない場合に、太陽電池パネル群４に含まれる太陽電池パネルの第一受光面４１の法線方向と太陽光の入射方向とが一致するとき総電力が最大と想定される場合として（例えば、天候が曇りや雨の場合に、ステップＳ１１においてＮｏ）、太陽電池パネル群４に含まれる太陽電池パネルを総電力が最大となる角度になるよう支持部５を制御する最大角度制御（目標仰角を導出するためのスキャン処理や目標仰角に太陽電池パネル群４に含まれる太陽電池パネルの第一受光面４１の仰角を合わせる制御（ステップＳ１２、Ｓ１３））を行わないため、このような場合であっても最大角度制御を行う構成と比べて、発電を効率的に行いつつ、太陽電池パネルの角度の制御に要する電力を低減することができる。
【００５７】
また、本実施形態の太陽光発電装置１では、太陽電池パネル群４に含まれる太陽電池パネルの第一受光面４１の仰角を、総電力が最大となる可能性の高いと想定される「太陽電池パネル群４に含まれる太陽電池パネルの第一受光面４１の法線方向と太陽光の入射方向とが一致する角度」とした（入射角度制御、ステップＳ７〜Ｓ９）後に、実際に総電力が最大となるような角度とする（最大角度制御、ステップＳ１２、Ｓ１３）ため、太陽電池パネル群４に含まれる太陽電池パネルの仰角を第一受光面４１の法線方向と太陽光の入射方向とが異なる角度とした後に、最大角度制御を行う構成と比べて、最大角度制御に要する電力を低減できる。
【００５８】
さらに、本実施形態の太陽光発電装置１では、反射板７が板材を曲げて形成されているため（例えば、端部７２が中央部７１に比べて太陽電池パネル群４に含まれる太陽電池パネルから遠ざかるように傾斜した状態となるよう板材を曲げて形成されるため）、反射板７が湾曲していない構成と比べて、反射板７における反射光の量を増加させることができる。また、反射板７がこのように曲がっているため、反射板７の幅が太陽電池パネルの幅よりも狭くても、反射板７が湾曲していない構成と比べて、反射板７における反射光の量を確保できる。
【００５９】
また、本実施形態の太陽光発電装置１では、処理部６０は、日没処理において、太陽電池パネル群４の第一受光面４１の方位角及び仰角を待機状態（第一受光面４１の方位角を南向きとすると共に、第一受光面４１の仰角を１８０°（第一受光面４１を設置面２と水平な姿勢）とするような状態）とするため、例えば、夜間に強風が吹いたとしても、太陽電池パネル群４に強風により負荷がかかることを防ぐことができる。
【００６０】
尚、本発明の太陽光発電装置は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００６１】
例えば、上記実施形態の太陽光発電装置１では、制御部６は、最大角度制御において太陽電池パネル群４に含まれる太陽電池パネルの第一受光面４１の仰角を変化させていたが、太陽電池パネル群４に含まれる太陽電池パネルの第一受光面４１の方位角のみを変化させたり、太陽電池パネル群４に含まれる太陽電池パネルの第一受光面４１の仰角及び方位角の両方を変化させたりしてもよい。また、上記実施形態の太陽光発電装置１では、制御部６は、入射角度制御を行った後に最大角度制御を行っていたが、入射角度制御を行わずに最大角度制御のみを行ってもよい。さらに、上記実施形態の太陽光発電装置１では、入射角度制御において太陽電池パネル群４に含まれる太陽電池パネルの第一受光面４１の方位角及び仰角の両方を制御していたが、少なくとも太陽電池パネル群４に含まれる太陽電池パネルの第一受光面４１の方位角を制御すればよい。また、上記実施形態の太陽光発電装置１では、太陽の高度に応じて日没処理を行っていたが（ステップＳ４においてＮｏのとき、ステップＳ１６、Ｓ１７）、太陽の高度によらず、入射角度制御や最大角度制御を行ってもよい。このような場合においても、太陽電池パネル群４に含まれる太陽電池パネルでの第一受光面４１及び第二受光面４２において発電される電力の総和を最大とする角度となるため、発電を効率的に行うことができる。
【００６２】
上記実施形態の制御部６は、自動制御のオンオフを、タッチパネルを介した入力やインターネットを介した入力により判断したが、所定のオン時刻（例えば、７時）となったときに自動制御をオンするものとし、所定のオフ時刻（例えば、１９時）となったときに自動制御をオフするものとしてもよい。また、上記実施形態の制御部６は、太陽電池パネル群４に設けられた電圧センサや電流センサにより第一受光面４１や第二受光面４２における発電量を取得したが、別のセンサによりこのような発電量を取得してもよい。さらに、上記実施形態の制御部６は、図６のステップＳ１１において日射量が一定量以上であるかを判断し、必要に応じて最大角度制御を行っていたが、日射量の代わりに実際の発電量（例えば、電力センサにより取得できる第一受光面４１や第二受光面４２における実際の発電量）が一定量以上であるかを判断し、必要に応じて最大角度制御を行ってもよい。
【００６３】
上記実施形態の反射板７では、その傾斜角度が固定されると共に、そのＺ軸方向における位置が支持部５に対して固定されていたが、これらは固定されていなくてもよい。例えば、制御部６が反射板７の動きを制御してもよい。この場合、制御部６は、反射板７を支持部５と連動するよう制御してもよい。また、この場合、太陽電池パネル群４に含まれる太陽電池パネルでの発電をより効率的に行うことができる。また、反射板７の中央ｂ７１及び端部７２の少なくとも一方は湾曲していてもよい。例えば、反射板７の表面が波型形状として複数の湾曲面を有してもよいし、この表面が階段形状やダイヤモンド形状を有してもよい（複数の傾斜面を有してもよい）。この場合、反射板の表面が湾曲面や傾斜面を含む場合、湾曲面や傾斜面は入射角と異なる角度で太陽光を反射する、換言すると、太陽光を乱反射するため、太陽電池パネルの第二受光面４２により多くの光を反射する。さらに、反射板７の表面が鏡面加工されていてもよく、この場合、高日射反射性塗料の塗布された面や鏡面加工がなされた面が入射した太陽光のうちより多くの光を太陽電池パネルに反射する。このように、反射板７の表面が太陽電池パネルの第一受光面４１や第二受光面４２に太陽光を効率的に反射するため、発電をさらに効率的に行うことができる。
【００６４】
各太陽電池パネル群４に含まれる太陽電池パネルの第一受光面４１の仰角や方位角は一括して変化する以外に、個別に変化してもよい。また、上記実施形態の太陽光発電装置１は、三つの太陽電池パネル群４を備えていたが、一つ、二つ、或いは、四つ以上の複数の太陽電池パネル群４を備えていてもよい。また、各太陽電池パネル群４は、三枚の太陽電池パネルを含んでいたが、一枚、二枚、或いは、四枚以上の太陽電池パネルを含んでいてもよい。
【００６５】
このような太陽光発電装置１の変形例の一つについて、以下、図７〜図１２を用いて説明する。太陽光発電装置１は、太陽電池パネル群４を一つ備える。また、太陽光発電装置１は、設置面に設置され且つ中心にＺ軸方向において貫通した貫通孔が設けられた架台３と、太陽電池パネル群４の下方に設けられた反射板７と、架台３、太陽電池パネル群４、及び、反射板７にそれぞれ接続された支持部５と、を備える(図８参照)。
【００６６】
支持部５は、架台３の貫通孔にＺ軸方向において挿通した軸部位５１３と、軸部位５１３に接続された本体部５００と、反射板７や太陽電池パネル群４を支持する支持体５０２と、本体部５００及び支持体５０２を接続すると共に水平方向に延びる仰角変更機器５０１と、を含む。また、支持部５は、軸部位５１３を回転軸として本体部５００を回動可能な電動モータ（第一のアクチュエータ）と、本体部５００の位置を検出可能な回転検出器（例えば、ポテンショメータ）と、を有する。本体部５００は、水平方向に延びる（設置面に沿って広がる）平板状の部位と、平板上の部位の水平方向において対向する二箇所からそれぞれ延びる腕状の部位と、を有する。仰角変更機器５０１は、仰角変更機器５０１の中心軸を回転軸として支持体５０２を回動可能である。支持体５０２は、矩形板状の第一部位５０３と、第一部位５０３の外縁から矩形平板上の部位に対して外側に傾いた状態で（例えば、５０°傾いた状態で）上方に延びる第二部位５０４と、第二部位５０４の上端縁から延び矩形枠状の第三部位５０５と、第三部位の角からそれぞれ中心に向かって延びる第四部位５０６と、第四部位５０６の内側の端縁から延びる矩形枠状の第五部位５０７と、を含む。第三部位５０５は、第五部位５０７の下方に位置しており、平面視（Ｚ軸方向視）において第五部位５０７を囲むように設けられている（図７参照）。
【００６７】
太陽電池パネル群４は、複数の太陽電池パネル４３を含んでいる。複数の太陽電池パネル４３は、互いに離間した状態で配置されている。具体的に、隣り合う太陽電池パネル４３の間には（例えば、二枚の太陽電池パネル４３の間には）、スリット４４が設けられている。太陽電池パネル群４の外縁は、支持体５０２の第四部位５０６及び第五部位５０７に支持されている。例えば、太陽電池パネル４３の第二受光面４２（反射板７と対向する面）の外縁は、第五部位５０７に載置された状態で固定されている（図８参照）。太陽電池パネル群４は、平面視（Ｚ軸方向視、図７参照）において、支持体５０２の第三部位５０５よりも内側に配置されている。また、太陽電池パネル群４は、第三部位５０５に対して隙間をあけた状態で配置されている。具体的に、太陽電池パネル群４は、太陽電池パネル群４の全周において、第三部位５０５に対して隙間をあけた状態で配置されている。
【００６８】
太陽電池パネル４３の第一受光面４１の方位角は、軸部位５１３を回転軸として支持体５０２が回動することで変化可能である。また、太陽電池パネル４３の第一受光面４１の仰角は、仰角変更機器５０１の中心軸を回転軸として支持体５０２が回動することで変化可能である。具体的に、太陽電池パネル４３の第一受光面４１の仰角は、図９、図１０、及び図１１に示すように、設置面２に対する第一受光面４１の仰角が、９０°から４５°を経て０°まで変化可能である。
【００６９】
反射板７は、支持体５０２に固定されると共に、支持体５０２を介して本体部５００や太陽電池パネル群４に固定されている。そのため、反射板７は、仰角変更機器５０１の中心を回転軸とした支持体５０２の回動に連動して回動する。また、反射板７は、軸体５１３を回転軸とした本体部５００や支持体５０２の回動に連動して回動する。尚、反射板７の太陽電池パネル群４に対する相対位置は、常に固定されている。
【００７０】
さらに、反射板７は、支持体５０２の四つの第二部位５０４の上方領域（例えば、上半分の領域）に連続して配置された第一反射パネル７３１と、第一反射パネル７３１と下方で連続し且つ四つの第二部位５０４の下方領域（例えば、下半分の領域）に連続して配置された第二反射パネル７３２と、を含む。第一反射パネル７３１及び第二反射パネル７３２は、太陽電池パネル群４と支持体５０２（例えば、第三部位５０５）との間の隙間の下方に配置されている。第一反射パネル７３１は、平坦な板形状である。第二反射パネル７３２は、上方に向かって凸になるよう湾曲した板形状である。従って、太陽電池パネル４３の周囲から入射した光（太陽電池パネル４３の外側に入射した光）を、第一反射パネル７３１や第二反射パネル７３２により太陽電池パネル４３の第二受光面４２に反射することができる（図１２における一点鎖線及び二点鎖線参照）。これにより、太陽光発電装置１での発電を効率的に行うことができる。
【００７１】
これに加えて、反射板７は、例えば、支持体５０２の第一部位５０３における中央に配置された第三反射パネル７３３と、を含む。第三反射パネル７３３は、太陽電池パネル４３の間のスリット４４の下方に配置されている。具体的に、第三反射パネル７３３は、スリット４４に沿った長尺の板形状である。第三反射パネル７３３の太陽電池パネル４３の並び方向における幅Ｗ２は、例えば、スリット４４の幅（太陽電池パネル４３の並び方向における幅）Ｗ１よりも広い。第三反射パネル７３３の表面は、上方に向かって凸となるよう湾曲した板形状である。従って、太陽電池パネル４３の間のスリット４４に入射した光を、第一反射パネル７３１や第二反射パネル７３２により太陽電池パネル４３の第二受光面４２に反射することができる（図１２における点線参照）。これにより、太陽光発電装置１での発電をより効率的に行うことができる。
【００７２】
この変形例に係る太陽光発電装置１の主な構成について、以下、まとめて説明する。太陽光発電装置１は、設置面２に設置された架台３と、架台３の上方に配置されると共に、表側に位置する第一受光面４１及び裏面に位置する第二受光面４２を有する太陽電池パネル４３と、架台３の上方において、太陽電池パネル４３の角度を変更可能な状態で、太陽電池パネル４３を支持する支持部５と、太陽電池パネル４３の下方に設置された反射板７と、を備える。この太陽光発電装置１では、太陽電池パネル４３と支持部５（例えば、支持体５０２の第三部位）との間に、隙間が設けられている。平面視において、この隙間と反射板７の少なくとも一部が重なっている。反射板７の一部（第二反射パネル７３２）は、上方に向かって凸になるように湾曲している。
【００７３】
また、太陽光発電装置１は、複数の太陽電池パネル４３を備え、複数の太陽電池パネル４３の間にはスリット４４が設けられている。このスリット４４の下方には、反射板７の第三反射パネル７３が配置されている。平面視において、スリット４４と第三反射パネル７３の少なくとも一部が重なっている。第三反射パネル７３の上面は、上方に向かって凸になるように湾曲している。
【００７４】
この太陽光発電装置１も、図６のフローチャートで示した最大角度制御により制御されるため、太陽電池パネル群４に含まれる太陽電池パネルの角度が、第一受光面４１及び第二受光面４２において発電される電力の総和を最大とする角度となるため、発電を効率的に行うことができる。
【００７５】
また、この太陽光発電装置１においても、太陽電池パネル群４に含まれる太陽電池パネルの第一受光面４１の方位角を制御する入射角度制御の後に最大角度制御が行われるため、太陽電池パネルで発電される電力の総和を最大とする制御が迅速に行われる。
【００７６】
さらに、本実施形態の太陽光発電装置１においても、太陽電池パネル群４に含まれる太陽電池パネルの第一受光面４１の法線方向を太陽光の入射方向に一致させる入射角度制御の後に、太陽電池パネル群４に含まれる太陽電池パネルの第一受光面４１の仰角（設置面２に対する第一受光面４１の角度）を、太陽電池パネル群４に含まれる太陽電池パネルの第一受光面４１及び第二受光面４２における電力の総和が最大となる角度に合わせる最大角度制御が行われるため、太陽電池パネルで発電される電力の総和を最大とする制御が迅速かつ確実に行われる。
【００７７】
尚、反射板７の表面７３の一部（例えば、第二反射パネル７３１）は、鏡面加工されていてもよい。また、太陽光発電装置１の太陽電池パネル４３の第一受光面４１の方位角や仰角の制御は、場合により自動制御ではなく手動により行ってもよい。
【００７８】
上記実施形態の太陽光発電装置１では、日射センサは支持部５に設けられていたが、別の箇所に設けられていてもよい。
【符号の説明】
【００７９】
１…太陽光発電装置、２…設置面、３…架台、３０…架台枠部、３１…補強部、３２…脚部、３２０…固定部位、３２１…接続部位、４、４ａ、４ｂ、４ｃ…太陽電池パネル群４１…第一受光面、４２…第二受光面、４３…太陽電池パネル、４４…スリット、５…支持部、５００…本体、５０１…仰角変更機器、５０２…接続体、５０３…第一部位、５０４…第二部位、５０５…第三部位、５０６…第四部位、５１…第一支持部、５１０…枠部位、５１１…車輪部位、５１２…板部位、５１３…軸部位、５２…第二支持部、５２０…本体部位、５２１…リンク部位、５２１０…本体領域、５２１１…支持領域、５２１２…接続領域、５２２…接続部位、５２２０…回転軸、５２３…電動シリンダ、５２４…基台部位、６…制御部、６０…処理部、６１…記憶部、７…反射板、７１…中央部、７２…端部、７３…表面、７３１…第一反射パネル、７３２…第二反射パネル、７３３…第三反射パネル、７４…裏面
【図１】
2019161818.tif 000003
【図２】
2019161818.tif 000004
【図３】
2019161818.tif 000005
【図４】
2019161818.tif 000006
【図５】
2019161818.tif 000007
【図６】
2019161818.tif 000008
【図７】
2019161818.tif 000009
【図８】
2019161818.tif 000010
【図９】
2019161818.tif 000011
【図１０】
2019161818.tif 000012
【図１１】
2019161818.tif 000013
【図１２】
2019161818.tif 000014
【図１３】
2019161818.tif 000015